(57)【要約】【課題】施工が容易であり、かつ運送時に嵩張らない連棟型ビニルハウスのアーチ受け部材およびこれを用いた連棟型ビニルハウスの提供。【解決手段】上部アーチ部材Ａ２および下部アーチ部材Ａ３がこれらの曲率半径方向に所定の間隔で配設される連棟型ビニルハウスにおいて隣接するビニルハウス間に設けられる矩形状断面の梁材Ａ１に固定される連棟型ビニルハウスのアーチ受け部材１であって、開口部を下向きとする逆凹状の主フレーム部１０を有し、上部に上部アーチ部材Ａ２を支持する上部アーチ支持部１２を、下部に下部アーチ部材Ａ３を支持する下部アーチ支持部１３をそれぞれ有し、主フレーム部１０の逆凹状の内側上面が梁材Ａ１の上面に載置される主部材２と、主部材２に固定されて、主部材２が載置された梁材Ａ１の下面側をガイドするガイド部材３とを有する。【選択図】図６
2017139971.tif 000002
【特許請求の範囲】
【請求項１】
上部アーチ部材および下部アーチ部材がこれらの曲率半径方向に所定の間隔で配設される連棟型ビニルハウスにおいて隣接するビニルハウス間に設けられる矩形状断面の梁材に固定される連棟型ビニルハウスのアーチ受け部材であって、
開口部を下向きとする逆凹状の主フレーム部を有し、上部に前記上部アーチ部材を支持する上部アーチ支持部を、下部に前記下部アーチ部材を支持する下部アーチ支持部をそれぞれ有し、前記主フレーム部の逆凹状の内側上面が前記梁材の上面に載置される主部材と、
前記主部材に固定されて、前記主部材が載置された前記梁材の下面側をガイドするガイド部材と
を有する連棟型ビニルハウスのアーチ受け部材。
【請求項２】
前記主部材は、前記梁材の断面寸法に応じて前記ガイド部材の固定位置を変えて固定するための複数の固定部を備えたものである請求項１記載の連棟型ビニルハウスのアーチ受け部材。
【請求項３】
前記ガイド部材は、前記梁材の断面寸法に応じた複数のガイド部を有するものである請求項１または２に記載の連棟型ビニルハウスのアーチ受け部材。
【請求項４】
前記複数のガイド部は、前記ガイド部材の一端辺の外面からなる第１のガイド部を含む請求項３記載の連棟型ビニルハウスのアーチ受け部材。
【請求項５】
前記複数のガイド部は、前記第１のガイド部を構成する一端辺の外面に形成された凹状の切欠きの内面からなる第２のガイド部を含む請求項４記載の連棟型ビニルハウスのアーチ受け部材。
【請求項６】
前記複数のガイド部は、前記第１のガイド部を構成する一端辺の対辺の外面に形成された凹状の切欠きの内面からなる第３のガイド部を含む請求項４または５に記載の連棟型ビニルハウスのアーチ受け部材。
【請求項７】
請求項１から６のいずれか１項に記載の連棟型ビニルハウスのアーチ受け部材と、
前記アーチ受け部材をボルトにより固定するための前記ボルトが貫通する貫通孔を備える梁材と
を含む連棟型ビニルハウス。
【発明の詳細な説明】
【技術分野】
【０００１】
本発明は、連棟型ビニルハウスにおいて隣接するビニルハウス間に設けられて、ビニルハウスの屋根部を構成するためのアーチ部材を支持する連棟型ビニルハウスのアーチ受け部材およびこれを用いた連棟型ビニルハウスに関する。
【背景技術】
【０００２】
従来の連棟型ビニルハウスとして、例えば特許文献１には、圃場に複数の支柱を設立し、同支柱の上端に梁材を設け、同梁材の両側面に等間隔に設けた突起にアーチ部材の下端部をそれぞれ嵌合して同アーチ部材を等間隔に支持するとともに、上記梁材の上面に集水樋を設け、かつ上記多数のアーチ部材の上面を透明のシートで被覆して形成したビニルハウスが記載されている。
【０００３】
また、ビニルハウスは、アーチ部材を覆うシートが風を受けやすく、かつ、アーチ部材が細いパイプによって組み立てられ、剛性が低い構造であるため、強風時に大きな変形を生じて倒壊に至る虞がある。これに対して、例えば特許文献２，３には、曲率の異なる２つのアーチパイプを、曲率半径方向に所定の間隔を空けて連結してアーチ部材を形成することによって強度を高めたビニルハウスが記載されている。
【先行技術文献】
【特許文献】
【０００４】
【特許文献１】実開昭６２−２０２１５０号公報
【特許文献２】特開２００７−３００８２６号公報
【特許文献３】特開２０１０−２２２２０号公報
【発明の概要】
【発明が解決しようとする課題】
【０００５】
上記梁材の両側面に等間隔に設けられる突起は、通常、梁材に溶接することによって設けられる。そのため、工数が嵩み、コスト高の要因となっている。また、梁材の両側面に突起が溶接された状態で、工場から出荷されるため、荷姿が大きくなり、運送費も高くなるという問題がある。
【０００６】
また、特許文献１に記載の連棟型ビニルハウスにおいて、特許文献２，３に記載のように曲率の異なる２つのアーチパイプを適用しようとする場合、梁材の両側面にそれぞれアーチパイプを２つずつ所定の間隔を空けて支持しなければならない。そのため、アーチパイプを嵌合する突起は、梁材の両側面からさらに外側に突設された状態となり、荷姿がさらに大きくなってしまう。
【０００７】
そこで、本発明においては、施工が容易であり、かつ運送時に嵩張らない連棟型ビニルハウスのアーチ受け部材およびこれを用いた連棟型ビニルハウスを提供することを目的とする。
【課題を解決するための手段】
【０００８】
本発明の連棟型ビニルハウスのアーチ受け部材は、上部アーチ部材および下部アーチ部材がこれらの曲率半径方向に所定の間隔で配設される連棟型ビニルハウスにおいて隣接するビニルハウス間に設けられる矩形状断面の梁材に固定される連棟型ビニルハウスのアーチ受け部材であって、開口部を下向きとする逆凹状の主フレーム部を有し、上部に上部アーチ部材を支持する上部アーチ支持部を、下部に下部アーチ部材を支持する下部アーチ支持部をそれぞれ有し、主フレーム部の逆凹状の内側上面が梁材の上面に載置される主部材と、主部材に固定されて、主部材が載置された梁材の下面側をガイドするガイド部材とを有するものである。
【０００９】
本発明の連棟型ビニルハウスのアーチ受け部材によれば、連棟型ビニルハウスにおいて隣接するビニルハウス間に設けられた矩形状断面の梁材の上面に、主部材の主フレーム部の逆凹状の内側上面を載置し、この主部材が載置された梁材の下面側にガイド部材を固定するだけで、上部アーチ部材および下部アーチ部材をそれぞれ上部および下部に支持する上部アーチ支持部および下部アーチ支持部が梁材に固定される。
【００１０】
ここで、主部材は、梁材の断面寸法に応じてガイド部材の固定位置を変えて固定するための複数の固定部を備えたものであることが望ましい。これにより、主部材の複数の固定部のうち梁材の断面寸法に応じた固定部を選択して、ガイド部材の固定位置を変えて固定することで、１種類のアーチ受け部材を用いて複数の梁材の断面寸法に対応することが可能となる。
【００１１】
また、ガイド部材は、梁材の断面寸法に応じた複数のガイド部を有するものであることが望ましい。これにより、ガイド部材の複数のガイド部のうち梁材の断面寸法に応じたガイド部を選択して、梁材の下面側をガイドするようにして主部材に固定することで、１種類のアーチ受け部材を用いて複数の梁材の断面寸法に対応することが可能となる。
【発明の効果】
【００１２】
（１）開口部を下向きとする逆凹状の主フレーム部を有し、上部に上部アーチ部材を支持する上部アーチ支持部を、下部に下部アーチ部材を支持する下部アーチ支持部をそれぞれ有し、主フレーム部の逆凹状の内側上面が梁材の上面に載置される主部材と、主部材に固定されて、主部材が載置された梁材の下面側をガイドするガイド部材とを有する本発明の連棟型ビニルハウスのアーチ受け部材によれば、梁材に容易に固定して、上部アーチ部材および下部アーチ部材をそれぞれ支持することが可能となるため、連棟型ビニルハウスを容易に施工することが可能となる。また、梁材には上部アーチ支持部および下部アーチ支持部を溶接する必要がなく、梁材の両側面に突起物がないため、運送時に嵩張らず、荷姿が小さくなるため、運送費が安価となる。
【００１３】
（２）主部材が、梁材の断面寸法に応じてガイド部材の固定位置を変えて固定するための複数の固定部を備えたものであることにより、１種類のアーチ受け部材を用いて複数の梁材の断面寸法に対応することが可能となる。
【００１４】
（３）ガイド部材が、梁材の断面寸法に応じた複数のガイド部を有するものであることにより、１種類のアーチ受け部材を用いて複数の梁材の断面寸法に対応することが可能となり、部材の共通化によりコストを下げることが可能となる。
【図面の簡単な説明】
【００１５】
【図１】本発明の実施の形態における連棟型ビニルハウスのアーチ受け部材の主部材を示す斜視図である。
【図２】図１の主部材の正面図である。
【図３】図１の主部材の右側面図である。
【図４】図１の主部材の底面図である。
【図５】ガイド部材を示す正面図である。
【図６】本発明の実施の形態における連棟型ビニルハウスのアーチ受け部材の使用状態を示す斜視図である。
【図７】図６の正面図である。
【図８】断面寸法の異なる梁材に対するアーチ受け部材の使用状態を示す斜視図である。
【図９】図８の正面図である。
【図１０】断面寸法の異なる梁材に対するアーチ受け部材の使用状態を示す斜視図である。
【図１１】図１０の正面図である。
【発明を実施するための形態】
【００１６】
図１は本発明の実施の形態における連棟型ビニルハウスのアーチ受け部材の主部材を示す斜視図、図２は正面図、図３は右側面図、図４は底面図、図５はガイド部材を示す正面図、図６は本発明の実施の形態における連棟型ビニルハウスのアーチ受け部材の使用状態を示す斜視図、図７は正面図、図８〜図１１は断面寸法の異なる梁材に対するアーチ受け部材の使用状態を示す斜視図および正面図である。
【００１７】
図６および図７に示すように、本発明の実施の形態におけるアーチ受け部材１は、連棟型ビニルハウスにおいて隣接するビニルハウス間に設けられる矩形状断面の梁材Ａ１に固定されるものである。梁材Ａ１は、矩形状断面のスチール製の中空の角パイプにより形成されており、アーチ受け部材１の固定位置に、アーチ受け部材１をボルトＢ１により固定するためのボルトＢ１が貫通する貫通孔（図示せず。）を備えている。梁材Ａ１は、所定の間隔（例えば３〜４ｍの間隔）で複数立設された支柱（図示せず。）の上端に設けられている。
【００１８】
連棟型ビニルハウスにおいて隣接するビニルハウスは、それぞれ屋根部を構成するための上部アーチ部材Ａ２および下部アーチ部材Ａ３を有する。上部アーチ部材Ａ２および下部アーチ部材Ａ３はスチール製の中空の丸パイプによりアーチ状に形成されたものである。上部アーチ部材Ａ２および下部アーチ部材Ａ３は互いに曲率が異なっており、これらの曲率半径方向に所定の間隔で配設される。アーチ受け部材１は、隣接するビニルハウス間で上部アーチ部材Ａ２および下部アーチ部材Ａ３を支持するものである。アーチ受け部材１は、図１〜図４に示す主部材２と、図５に示すガイド部材３とから構成される。
【００１９】
図１〜図４に示すように、主部材２は、開口部を下向きとする逆凹状の主フレーム部１０を有する。主フレーム部１０は、梁材Ａ１の上面に載置されるスチール製の中空の角パイプからなる水平部１０Ａと、水平部１０Ａの両端部から垂直に下がるスチール製の中空の角パイプからなる垂下部１０Ｂ，１０Ｃとから構成される。水平部１０Ａと垂下部１０Ｂ，１０Ｃとは溶接されている。水平部１０Ａの中心には、梁材Ａ１を固定するボルトＢ１（図６および図７参照。）が貫通する貫通孔１１Ａが設けられている。垂下部１０Ｂ，１０Ｃの下部には、ガイド部材３を固定するための複数の固定部としての貫通孔１１Ｂ−１，１１Ｂ−２，１１Ｃ−１，１１Ｃ−２が設けられている。
【００２０】
また、主部材２は、上部に上部アーチ部材Ａ２を支持する上部アーチ支持部１２を、下部に下部アーチ部材Ａ３を支持する下部アーチ支持部１３を備えている。上部アーチ支持部１２は、垂下部１０Ｂ，１０Ｃの上部から互いに離れる方向の斜め上方に向かって延設されたスチール製の中空の角パイプからなる。下部アーチ支持部１３は、垂下部１０Ｂ，１０Ｃの下部から互いに離れる方向の斜め上方に向かって延設されたスチール製の中空の角パイプからなる。上部アーチ支持部１２および下部アーチ支持部１３は、垂下部１０Ｂ，１０Ｃに溶接されている。
【００２１】
上部アーチ部材Ａ２は、上部アーチ支持部１２の上端部開口１２Ａから上部アーチ支持部１２内に挿入され、上部アーチ支持部１２に設けられた貫通孔１２Ｂを通じてビス（図示せず。）により固定される。同様に、下部アーチ部材Ａ３は、下部アーチ支持部１３の下端部開口１３Ａから下部アーチ支持部１３内に挿入され、下部アーチ支持部１３に設けられた貫通孔１３Ｂを通じてビス（図示せず。）により固定される。
【００２２】
なお、上部アーチ支持部１２の上端部開口１２Ａは、垂下部１０Ｂ，１０Ｃの下端部開口１０Ｄまで通じており、上部アーチ支持部１２および垂下部１０Ｂ，１０Ｃ内の水滴は、垂下部１０Ｂ，１０Ｃの下端部開口１０Ｄより落下する。一方、下部アーチ支持部１３の下端部は垂下部１０Ｂ，１０Ｃの側壁に塞がれているが、下部アーチ支持部１３の下端部の下面側には水抜き孔１３Ｃが設けられており、下部アーチ支持部１３内の水滴は、この水抜き孔１３Ｃより落下する。
【００２３】
また、上部アーチ支持部１２と下部アーチ支持部１３との間には、上部アーチ支持部１２および下部アーチ支持部１３を補強するための補強板１４が設けられている。補強板１４によって上部アーチ支持部１２と下部アーチ支持部１３との間隔が一定に保たれることにより、これらによって支持される上部アーチ部材Ａ２と下部アーチ部材Ａ３との間隔が一定に保たれる。補強板１４は、垂下部１０Ｂ，１０Ｃ、上部アーチ支持部１２および下部アーチ支持部１３に溶接されている。
【００２４】
一方、ガイド部材３は、図５に示すように矩形状のスチール製の板材からなる。ガイド部材３には、主部材２の貫通孔１１Ｂ−１，１１Ｃ−１または貫通孔１１Ｂ−２，１１Ｃ−２のいずれか一方にボルトＢ２（図６および図７参照。）によって選択的に固定するための貫通孔３０Ａ，３０Ｂが設けられている。
【００２５】
ガイド部材３は、主部材２が載置された梁材Ａ１の下面側をガイドするものであり、梁材Ａ１の断面寸法に応じた複数のガイド部を有する。本実施形態におけるガイド部材３は、ガイド部材３の一端辺の外面３１Ａからなる第１のガイド部３１と、第１のガイド部３１を構成する一端辺の外面３１Ａに形成された凹状の切欠きの内面３２Ａ，３２Ｂ，３２Ｃからなる第２のガイド部３２と、第１のガイド部３１を構成する一端辺の対辺の外面３４Ａに形成された凹状の切欠きの内面３３Ａ，３３Ｂ，３３Ｃからなる第３のガイド部３３と、第１のガイド部３１を構成する一端辺の対辺の外面３４Ａからなる第４のガイド部３４とを有する。
【００２６】
貫通孔３０Ａ，３０Ｂのそれぞれの中心を結ぶ線から、それぞれ第１のガイド部３１の外面３１Ａまでの距離Ｙ１、第２のガイド部３２の内面３２Ａまでの距離Ｙ２、第３のガイド部３３の内面３３Ａまでの距離Ｙ３、第４のガイド部３４の外面３４Ａまでの距離Ｙ４、第１のガイド部３１の内面３２Ｂから内面３２Ｃまでの距離Ｘ２、および、第３のガイド部３３の内面３３Ｂから内面３３Ｃまでの距離Ｘ３は、後述するようにこのガイド部材３によってガイドする梁材の断面寸法に応じて設定されている。なお、本実施形態においては、距離Ｘ２，Ｘ３の中心は、貫通孔３０Ａの中心と貫通孔３０Ｂの中心との中央線上にある。
【００２７】
上記構成のアーチ受け部材１は、図６および図７に示すように、主部材２の主フレーム部１０の逆凹状の内側上面を梁材Ａ１の上面に載置し、貫通孔１１Ａを通じてボルトＢ１により梁材Ａ１に固定するとともに、主部材２の貫通孔１１Ｂ−１，１１Ｃ−１または貫通孔１１Ｂ−２，１１Ｃ−２のいずれか一方にガイド部材３を貫通孔３０Ａ，３０Ｂを通じてボルトＢ２により固定する。そして、上部アーチ部材Ａ２および下部アーチ部材Ａ３をそれぞれ上部アーチ支持部１２および下部アーチ支持部１３内に挿入し、貫通孔１２Ｂ，１３Ｂを通じてビス（図示せず。）により固定する。
【００２８】
このように、本実施形態におけるアーチ受け部材１によれば、連棟型ビニルハウスにおいて隣接するビニルハウス間に設けられた矩形状断面の梁材Ａ１の上面に、主部材２の主フレーム部１０の逆凹状の内側上面を載置し、この主部材２が載置された梁材Ａ１の下面側にガイド部材３を固定するだけで、上部アーチ部材Ａ２および下部アーチ部材Ａ３をそれぞれアーチ受け部材１の上部アーチ支持部１２および下部アーチ支持部１３に支持することが可能となる。
【００２９】
なお、図６および図７に示す例では、梁材Ａ１は７５ｍｍ幅×４５ｍｍ幅の角パイプを縦長となる向きで使用したものである。このとき、ガイド部材３は、主部材２の下側の貫通孔１１Ｂ−２，１１Ｃ−２に、第２のガイド部３２が上向きとなるように固定した状態で、梁材Ａ１の下面側が第２のガイド部３２にガイドされるように、距離Ｘ２，Ｙ２が設定されている。
【００３０】
一方、図８および図９に示す例では、梁材Ａ４は７５ｍｍ幅×４５ｍｍ幅の角パイプを横長となる向きで使用したものである。このとき、ガイド部材３は、主部材の上側の貫通孔１１Ｂ−１，１１Ｃ−１に固定した状態で、梁材Ａ４の下面側が第１のガイド部３１にガイドされるように、距離Ｙ１が設定されている。なお、本実施形態においては、距離Ｙ１と距離Ｙ４とは同じに設定されており、ガイド部材３を上下逆に使用して第４のガイド部３４により梁材Ａ４の下面側をガイドすることも可能である。
【００３１】
また、図１０および図１１に示す例では、梁材Ａ５は５０ｍｍ幅×５０ｍｍ幅の角パイプである。このとき、ガイド部材３は、主部材の上側の貫通孔１１Ｂ−１，１１Ｃ−１に、第３のガイド部３３が上向きとなるように固定した状態で、梁材Ａ５の下面側が第３のガイド部３３にガイドされるように、距離Ｘ３，Ｙ３が設定されている。
【００３２】
このように、本実施形態におけるアーチ受け部材１では、主部材２が梁材Ａ１，Ａ４，Ａ５の断面寸法に応じてガイド部材３の固定位置を変えて固定するための複数の固定部（貫通孔１１Ｂ−１，１１Ｃ−１および貫通孔１１Ｂ−２，１１Ｃ−２）を備えたことにより、主部材２の複数の固定部のうち梁材Ａ１の断面寸法に応じた固定部を選択して、ガイド部材３の固定位置を変えて固定することで、１種類のアーチ受け部材１を用いて複数の梁材Ａ１，Ａ４，Ａ５の断面寸法に対応することが可能となっている。
【００３３】
また、本実施形態におけるアーチ受け部材１では、ガイド部材３が梁材Ａ１，Ａ４，Ａ５の断面寸法に応じた複数のガイド部３１，３２，３３を有することにより、ガイド部材３の複数のガイド部３１，３２，３３のうち梁材Ａ１，Ａ４，Ａ５の断面寸法に応じたガイド部３１，３２，３３を選択して、梁材Ａ１，Ａ４，Ａ５の下面側をガイドするようにして主部材２に固定することで、１種類のアーチ受け部材１を用いて複数の梁材Ａ１，Ａ４，Ａ５の断面寸法に対応することが可能となっている。
【産業上の利用可能性】
【００３４】
本発明の連棟型ビニルハウスのアーチ受け部材およびこれを用いた連棟型ビニルハウスは、連棟型ビニルハウスの隣接するビニルハウス間に設けられて、ビニルハウスの屋根部を構成するためのアーチ部材を支持する部材として有用である。
【符号の説明】
【００３５】
１  アーチ受け部材
２  主部材
３  ガイド部材
１０  主フレーム部
１０Ａ  水平部
１０Ｂ，１０Ｃ  垂下部
１２  上部アーチ支持部
１３  下部アーチ支持部
１３Ｃ  水抜き孔
１４  補強板
３１，３２，３３，３４  ガイド部
【図１】
2017139971.tif 000003
【図２】
2017139971.tif 000004
【図３】
2017139971.tif 000005
【図４】
2017139971.tif 000006
【図５】
2017139971.tif 000007
【図６】
2017139971.tif 000008
【図７】
2017139971.tif 000009
【図８】
2017139971.tif 000010
【図９】
2017139971.tif 000011
【図１０】
2017139971.tif 000012
【図１１】
2017139971.tif 000013